(57)【要約】【課題】表示画面を繁雑にすることなくユーザ利便性および操作性を向上させることができる情報処理装置を提供する。【解決手段】表示する本体アイコン１３１ごとに略矩形の表示画面領域１３０を割り当て、表示画面領域１３０を、本体アイコン１３１および該本体アイコン１３１に関連付けられた機能アイコン１３２のそれぞれを表示する分割領域に分割して表示する。【選択図】図１
2013222353.tif 000002
【特許請求の範囲】
【請求項１】
本体アイコンおよび該本体アイコンに関連付けられた機能アイコンを表示する表示部と、
上記表示部の表示画面において、表示する本体アイコンごとに略矩形の表示画面領域を割り当てる表示画面領域割当手段と、
上記表示画面領域を、上記本体アイコンおよび該本体アイコンに関連付けられた機能アイコンをそれぞれ表示する第１分割領域および第２分割領域に分割する表示画面領域分割手段と、を備えたことを特徴とする情報処理装置。
【請求項２】
ユーザが入力した指示を取得する指示取得手段をさらに備え、
上記指示取得手段が、ある本体アイコンが所定の時間長押しされたことを取得した場合、上記表示画面領域分割手段は、長押しされた上記ある本体アイコンの上記表示画面領域において、上記第１分割領域を縮小する一方、上記第１分割領域を縮小する程度に応じて上記第２分割領域を拡大することを特徴とする請求項１記載の情報処理装置。
【請求項３】
上記表示画面領域分割手段は、上記ある本体アイコンが押され続けた時間に応じて、上記第１分割領域を徐々に縮小するとともに、上記第２分割領域を徐々に拡大することを特徴とする請求項２記載の情報処理装置。
【請求項４】
ユーザが入力した指示を取得する指示取得手段をさらに備え、
上記指示取得手段が、ある本体アイコンが所定の時間長押しされたことを取得した場合、上記表示画面領域分割手段は、長押しされた上記ある本体アイコンの上記表示画面領域において、上記第１分割領域を消去する一方、上記第１分割領域が消去された上記表示画面領域部分を埋め合わせるように、上記第２分割領域を拡大することを特徴とする請求項１記載の情報処理装置。
【請求項５】
表示部の表示画面において、表示する本体アイコンごとに略矩形の表示画面領域を割り当て、上記表示画面領域を、第１分割領域および第２分割領域に分割し、上記第１分割領域には上記本体アイコンを表示させ、上記第２分割領域には、該本体アイコンに関連付けられた機能アイコンを表示させるように、上記表示部を制御することを特徴とする表示制御方法。
【請求項６】
請求項１から４のいずれか１項に記載の情報処理装置が備えた各手段として、コンピュータを機能させることを特徴とする制御プログラム。
【請求項７】
表示部の表示画面において、表示する本体アイコンごとに略矩形の表示画面領域を割り当て、上記表示画面領域を、第１分割領域および第２分割領域に分割し、上記第１分割領域には上記本体アイコンを表示させ、上記第２分割領域には、該本体アイコンに関連付けられた機能アイコンを表示させるように、上記表示部を制御する処理をコンピュータに実行させることを特徴とする制御プログラム。
【請求項８】
請求項６または７に記載の制御プログラムを記録しているコンピュータ読み取り可能な記録媒体。
【発明の詳細な説明】
【技術分野】
【０００１】
本発明は、情報処理装置、表示制御方法、制御プログラムおよび記録媒体に関する。
【背景技術】
【０００２】
近年、携帯電話機などの情報処理装置は、小型ながらも表示画面の解像度が向上し、多量のデータを一画面に表示できるようになってきている。また、これらの情報処理装置はデータを保存するためのメモリの容量も増加し、当該端末に多量のデータを保存することができるようになっている。そして、それらのデータおよびプログラムをリスト形式で表示する際、限られた大きさの待受画面にどのような形態で表示するか、様々な表示形態が開示されている。
【０００３】
例えば、図９に示す、下掲の特許文献１に開示された携帯端末装置９０１では、待受画面９１３において、第１表示領域にアイコン画像およびテキスト画像からなるオブジェクト９１３０ａを表示し、第２表示領域にはアイコン画像のみからなるオブジェクト９１３０ｂを表示する。ユーザは、オブジェクト９１３０ａまたは９１３０ｂを選択することにより、階層、フォルダを飛び越えて、特定の処理に移動することができる。
【０００４】
ところで、従来では、同一のプログラムの中に複数の頻繁に使用する機能がある場合、その各々の機能についてショートカットアイコンを作成して表示していた。
【０００５】
しかし、例えば上記携帯端末装置９０１の表示形態において、機能ごとのオブジェクト９１３０ａ、９１３０ｂを全て表示した場合、待受画面９１３が繁雑になるという問題がある。
【０００６】
そこで、例えば、特許文献２では、図１１に示すように、情報端末装置８０１に例えば電話帳を表示する例が示されている。具体的には、家族、会社または友人のようにグループ分けされた属性情報に係る属性アイコン８１３１と、グループ分けされた電話番号の持ち主の氏名、住所、顔写真、メールアドレス等の情報に係る情報アイコン８１３２とを、表示画面８１３上において重畳または近接してレイアウトするようになっている。これにより、上記属性情報に基づいて分類された情報を、明確かつ簡潔に表示画面８１３上に表示することができると、特許文献２には記載されている。
【先行技術文献】
【特許文献】
【０００７】
【特許文献１】特開２０１１−１５５５３０号公報（３０１１年８月１１日公開）
【特許文献２】特開２０１１−２３２９１３号公報（２０１１年１１月１７日公開）
【発明の概要】
【発明が解決しようとする課題】
【０００８】
ところが、上記特許文献２に開示された構成は、複数のアイコンを表示画面８１３内に効率的に配置することができないという問題、および表示処理の負荷が大きいという問題を有している。これらの問題について、以下具体的に説明する。
【０００９】
特許文献２の情報端末装置８０１は、タッチパネル式の装置であり、ユーザがある属性アイコン８１３１に触れると、該属性アイコン８１３１が拡大表示される。これにより、タッチパネルの操作性を向上させている。
【００１０】
しかしながら、図１１に示すように、情報端末装置８０１では、各属性アイコン８１３１に対して、情報アイコン８１３２がそれぞれ付帯して（重畳または近接して）表示されている。このとき、情報端末装置８０１では、隣接する属性アイコン８１３１にそれぞれ付帯する情報アイコン８１３２同士が互いに重ならないように表示するために、該属性アイコン８１３１同士の間には、いずれのアイコンも表示されない無駄な領域が生じている。このように、情報端末装置８０１では、属性アイコン８１３１および情報アイコン８１３２を、表示画面８１３内に効率的に配置することができない。
【００１１】
また、特許文献２では、表示画面８１３の表示面積が小さく、そのままでは細かな操作に適さないため、ユーザがある属性アイコン８１３１に触れると、該属性アイコン８１３１（およびそれに付帯する情報アイコン８１３２）を拡大表示し、その他の属性アイコン８１３１（およびそれに付帯する情報アイコン８１３２）を縮小表示する処理を行うことが示されている。
【００１２】
しかしながら、上記拡大または縮小の処理は、表示された全ての属性アイコン８１３１および情報アイコン８１３２に対して行われる。この結果、表示処理の負荷が増大する。また、省電力にも不利になる。
【００１３】
本発明は上記の問題点に鑑みてなされたものであり、その目的は、表示画面を繁雑にすることなくユーザ利便性および操作性を向上させることができる情報処理装置を提供することにある。
【課題を解決するための手段】
【００１４】
上記の課題を解決するために、本発明に係る情報処理装置は、
(1)本体アイコンおよび該本体アイコンに関連付けられた機能アイコンを表示する表示部と、
(2)上記表示部の表示画面において、表示する本体アイコンごとに略矩形の表示画面領域を割り当てる表示画面領域割当手段と、
(3)上記表示画面領域を、上記本体アイコンおよび該本体アイコンに関連付けられた機能アイコンをそれぞれ表示する第１分割領域および第２分割領域に分割する表示画面領域分割手段と、を備えたことを特徴としている。
【００１５】
また、本発明に係る情報処理装置の表示制御方法は、
表示部の表示画面において、表示する本体アイコンごとに略矩形の表示画面領域を割り当て、上記表示画面領域を、第１分割領域および第２分割領域に分割し、上記第１分割領域には上記本体アイコンを表示させ、上記第２分割領域には、該本体アイコンに関連付けられた機能アイコンを表示させるように、上記表示部を制御することを特徴としている。
【００１６】
上記の構成および方法によると、表示する本体アイコンごとに略矩形の表示画面領域が割り当てられる。また、上記表示画面領域には、本体アイコンおよび該本体アイコンに関連付けられた機能アイコンが、各々の分割領域（第１、第２の分割領域）に表示される。従って、略矩形の表示画面領域に、本体アイコンと機能アイコンの両方が納まって表示される。そのため、表示部に複数の表示画面領域を表示する場合、表示画面領域同士の辺を接して表示することができるので、効率的に本体アイコンおよび機能アイコンを表示することができる。
【００１７】
本発明に係る情報処理装置では、
(1)ユーザが入力した指示を取得する指示取得手段をさらに備え、
(2)上記指示取得手段が、ある本体アイコンが所定の時間長押しされたことを取得した場合、上記表示画面領域分割手段は、長押しされた上記ある本体アイコンの上記表示画面領域において、上記第１分割領域を縮小する一方、上記第１分割領域を縮小する程度に応じて上記第２分割領域を拡大する構成であってもよい。
【００１８】
または、本発明に係る情報処理装置では、上記表示画面領域分割手段は、上記ある本体アイコンが押され続けた時間に応じて、上記第１分割領域を徐々に縮小するとともに、上記第２分割領域を徐々に拡大する構成であってもよい。
【００１９】
あるいは、本発明に係る情報処理装置では、
(1)ユーザが入力した指示を取得する指示取得手段をさらに備え、
(2)上記指示取得手段が、ある本体アイコンが所定の時間長押しされたことを取得した場合、上記表示画面領域分割手段は、長押しされた上記ある本体アイコンの上記表示画面領域において、上記第１分割領域を消去する一方、上記第１分割領域が消去された上記表示画面領域部分を埋め合わせるように、上記第２分割領域を拡大する構成であってもよい。
【００２０】
上記構成によると、ある本体アイコンが長押しされた場合、そのある本体アイコンの表示画面領域の大きさを変えることなく、本体アイコンを表示する第１分割領域が縮小される一方、機能アイコンを表示する第２分割領域が拡大される。そのため、ユーザにとって機能アイコンの選択がしやすくなる。
【００２１】
また、上記第２分割領域の拡大は、本体アイコンを表示する第１分割領域の縮小する程度に応じてなされる。第１分割領域の縮小には、第１分割領域の消去も含まれる。そのため、表示画面領域を拡大することなく、機能アイコンを拡大することができる。これにより、複数の表示画面領域同士が重なり合うことがない。すなわち、複数の表示画面領域同士が互いに干渉し合わない表示状態を保ち続けることができる。
【００２２】
なお、第２分割領域を拡大する度合いを、ユーザが本体アイコンを長押しする時間によって変更することもできるので、プログラム任せではなく、ユーザが操作しやすい好みの表示状態を優先させることができる。
【００２３】
上記情報処理装置の各手段または表示制御方法を、制御プログラムによりコンピュータ上で実行させることができる。さらに、上記制御プログラムを、コンピュータ読み取り可能な記録媒体に記憶させることにより、任意のコンピュータ上で当該情報処理装置を実行させることができる。
【発明の効果】
【００２４】
以上のように、本発明に係る情報処理装置は、表示画面を繁雑にすることなくユーザ利便性および操作性を向上させることができるという効果を奏する。
【図面の簡単な説明】
【００２５】
【図１】（ａ）（ｂ）は、上記情報処理装置における本体アイコンおよび機能アイコンの表示例を示す模式図である。
【図２】本発明の一実施形態に係る情報処理装置における表示の一例を示す模式図である。
【図３】上記情報処理装置の構成を示す機能ブロック図である。
【図４】上記情報処理装置の動作を示すフローチャートである。
【図５】（ａ）〜（ｃ）は、上記情報処理装置の機能アイコン設定処理における表示を示す模式図である。
【図６】上記情報処理装置における機能アイコン設定処理のフローチャートである。
【図７】上記情報処理装置における機能アイコンの表示処理のフローチャートである。
【図８】上記情報処理装置において、本体アイコンを長押しされた場合の動作を説明する図である。
【図９】従来の情報処理装置における表示を示す模式図である。
【図１０】従来の情報処理装置における機能アイコンの表示を説明する図である。
【図１１】従来の他の情報処理装置における表示を示す模式図である。
【発明を実施するための形態】
【００２６】
以下、本発明の実施の形態について、図１〜図８を参照しながら詳細に説明する。なお、実施形態に記載されている構成部品の寸法、形状、相対配置などは、特に特定的な記載がない限り、この発明の範囲をそれのみに限定する趣旨ではなく、単なる説明に過ぎない。
【００２７】
本発明に係る情報処理装置に関する実施の一形態について、図１〜図８に基づいて説明すれば以下のとおりである。
【００２８】
本実施形態の情報処理装置は、タッチパネルを備え、タッチパネルを介した操作者の指示に応じた情報処理を行う装置全般を対象としている。したがって、対象機器には、サーバ装置および情報中継装置なども含まれるが、中でも、小型の表示画面を備えた携帯電話、スマートフォン、電子ブックまたはＰＤＡ（Ｐｅｒｓｏｎａｌ  Ｄｉｇｉｔａｌ  Ａｓｓｉｓｔａｎｔｓ）などの情報端末装置が、対象機器として好適である。
【００２９】
（情報処理装置におけるレイアウト）
まず、情報処理装置１の表示部１３における表示のレイアウトについて、図１および図２に示す模式図を用いて説明する。
【００３０】
図２に示すように、情報処理装置１の表示部１３には、略矩形の複数（例えばＡ〜Ｅ）の表示画面領域１３０が、互いに隙間をほとんど空けない状態で配列して表示されている。
【００３１】
図１の（ａ）（ｂ）は、表示画面領域１３０の詳細を示す図である。図１の（ａ）に示すように、表示画面領域１３０は四方の角が丸められた略矩形の領域であり、各表示画面領域１３０には、本体アイコン１３１および機能アイコン１３２が配置されている。具体的には、各表示画面領域１３０の中央に、１つの本体アイコン１３１が配置されており、該本体アイコン１３１の周囲に付帯して、４つの機能アイコン１３２が配置されている。
【００３２】
なお、本発明はこのような配置形態に限られず、例えば、図１の（ｂ）に示すように、表示画面領域１３０ａにおいて、本体アイコン１３１ａは左下部分に配置され、機能アイコン１３２ａは本体アイコン１３１ａの上側および右側に配置されていてもよい。
【００３３】
このように、表示画面領域１３０，１３０ａは、本体アイコン１３１，１３１ａを表示するための表示領域（第１分割領域）と、機能アイコン１３２，１３２ａを表示するための表示領域（第２分割領域）とに分割されている。
【００３４】
１つの本体アイコン１３１（１３１ａ）は１つのプログラム（アプリケーションソフトウェア）に対応している。本体アイコン１３１（１３１ａ）は、具体的には、対応するプログラムの名称、および／または該プログラムの内容を端的に示す画像などで構成されている。図１の（ａ）（ｂ）では、本体アイコン１３１の配置領域内に、該本体アイコン１３１が対応するプログラム（ここではカレンダーアプリケーション）の名称を示している。
【００３５】
１つの本体アイコン１３１（１３１ａ）に関連付けられた機能アイコン１３２（１３２ａ）は、それぞれ、該本体アイコン１３１（１３１ａ）に対応するプログラムが有する機能、あるいは当該プログラムに対応付けられた情報に対応している。ある本体アイコン１３１（１３１ａ）に関連付けられた機能アイコン１３２（１３２ａ）は、該本体アイコン１３１（１３１ａ）に付帯して表示される。
【００３６】
ユーザは、ある機能アイコン１３２（１３２ａ）を選択する（例えば、ある機能アイコンに触れる）ことで、該機能アイコン１３２（１３２ａ）に対応する機能を実行させたり、情報を呼び出したりすることができる。すなわち、機能アイコン１３２（１３２ａ）はいわゆるショートカットアイコンである。
【００３７】
例えば、図１の（ａ）（ｂ）に示すように、本体アイコン１３１（１３１ａ）が、メイン機能として、カレンダーを表示させるためのアイコンであり、機能アイコン１３２（１３２ａ）が、ユーザのスケジュールを表示させるためのアイコンであるとする。さらに、機能アイコン１３２（１３２ａ）は、例えば４つの機能アイコン、すなわち、期限の過ぎたスケジュールを呼び出し、更新処理を可能とする機能アイコン、月間スケジュールを表示させる機能アイコン、当日スケジュールを表示させる機能アイコン、週間スケジュールを表示させる機能アイコンに分割されているとする。
【００３８】
図１の（ａ）（ｂ）では、４つの機能アイコン１３２の配置領域内に、上記カレンダーアプリケーションが有する４つの機能の名称（更新、月間スケジュール表示、当日スケジュール表示、週間スケジュール表示）の代表文字をそれぞれ示している。
【００３９】
この場合、ユーザが本体アイコン１３１（１３１ａ）に触れると、年間カレンダー、２ヶ月カレンダー、または当月カレンダーなどの初期設定された表示形態のカレンダーを呼び出すことができる。
【００４０】
また、ユーザが機能アイコン１３２（１３２ａ）に触れると、ユーザが本体アイコン１３１（１３１ａ）を介してカレンダーアプリケーションを起動させなくても、スケジュールの更新処理または各種スケジュールを呼び出すことができる。
【００４１】
また、本体アイコン１３１（１３１ａ）に、例えば電話帳全体を呼び出すメイン機能を割り当て、機能アイコン１３２（１３２ａ）に、ユーザが分類したグループ（家族、友人、会社関係など）ごとの電話帳を呼び出すサブ機能を割り当てることもできる。
【００４２】
さらに、本体アイコンを、１つのプログラムにおけるメインルーチンの起動に対応させ、機能アイコンを、上記メインルーチンに従属するサブルーチンの起動に対応させてもよい。
【００４３】
情報処理装置１では、本体アイコン１３１および機能アイコン１３２がその内部に表示された表示画面領域１３０は略矩形であるため、隣接する表示画面領域１３０同士を、縦および横方向に辺を接して配置することができる。従って、表示画面内に効率的に本体アイコン１３１および機能アイコン１３２を配置することができる。そのため、従来の情報処理装置である情報端末装置８０１における、図１１に示す配置よりも、多数の本体アイコン１３１および機能アイコン１３２を表示することができる。
【００４４】
（情報処理装置の構成）
図３は、情報処理装置１の構成を示す機能ブロック図である。
【００４５】
同図に示すように、情報処理装置１は、制御部１０、操作部１１、記憶部１２、および表示部１３を含んでいる。
【００４６】
操作部１１は、ユーザの操作によりユーザから各種の入力を受け付ける。操作部１１は、入力用ボタン、タッチパネル、その他の操作デバイスによって構成されている。操作部１１は、ユーザが操作した情報を操作データに変換して制御部１０に送信する。なお、上記その他の操作デバイスの例としては、キーボード、十字キー、およびテンキーが挙げられる。
【００４７】
記憶部１２は、情報を記録するものであり、ハードディスク、フラッシュメモリ、ＲＯＭ（Read Only Memory）、ＲＡＭ（Random Access Memory）などの記憶装置によって構成される。
【００４８】
表示部１３は、ＬＣＤ（Liquid Crystal Display）などの表示デバイスによって構成されている。なお、情報処理装置１はタッチパネル式装置であり、ユーザは表示部１３に触れることによって情報処理装置１を操作することができる。
【００４９】
制御部１０は、指示取得部（指示取得手段）１０１、第１のレイアウト部（表示画面領域割当手段）１０２、および第２のレイアウト部（表示画面領域分割手段）１０３によって構成されている。
【００５０】
指示取得部１０１は、操作部１１において受け付けたユーザからの各種入力を取得する。例えば、ユーザが、表示部１３に表示する本体アイコン１３１および機能アイコン１３２の設定を行うと、指示取得部１０１はその設定情報（表示アイコン設定）を取得する。そして、指示取得部１０１は、取得した表示アイコン設定を記憶部１２に記憶するとともに、記憶部１２から表示する各アイコンに関する情報（表示アイコン情報）を第１のレイアウト部１０２および第２のレイアウト部１０３に送る。ここで、表示アイコン情報とは、表示するアイコンのサムネイル画像、および、表示する各アイコンが対応するプログラムや機能の名称などである。
【００５１】
表示アイコン情報を取得した第１のレイアウト部１０２は、表示する本体アイコン１３１ごとに、表示部１３の表示画面における表示画面領域１３０を割り当てる（図２参照）。
【００５２】
表示アイコン情報を取得した第２のレイアウト部１０３は、本体アイコン１３１ごとの表示画面領域１３０を、該本体アイコン１３１および該本体アイコン１３１に付帯する機能アイコン１３２のそれぞれを表示する第１分割領域および第２分割領域に分割する。そして、第２のレイアウト部１０３は、表示画面領域１３０、本体アイコン１３１、および機能アイコン１３２を、第１のレイアウト部１０２および第２のレイアウト部１０３で決定された配置形態で表示させる。
【００５３】
（情報処理装置の動作）
次に、情報処理装置１において、制御部１０によって実行される各処理について、図４〜図７を用いて説明する。
【００５４】
（アイコンレイアウト処理）
ここでは、図４に示すフローチャートを用いて、表示部１３における本体アイコン１３１および機能アイコン１３２のレイアウトを決定する、アイコンレイアウト処理について説明する。
【００５５】
ユーザが、表示部１３に表示する本体アイコン１３１および機能アイコン１３２の設定（表示アイコン設定）を行う操作を実行すると、上記アイコンレイアウト処理が開始される。または、ユーザが、本体アイコン１３１に新たに付帯させる機能アイコン１３２の設定操作を行うと、上記アイコンレイアウト処理が開始される。以下では、前者の場合について説明する。
【００５６】
指示取得部１０１は、ユーザによる指示（表示アイコン設定の操作）を取得して、表示する本体アイコン１３１および機能アイコン１３２の設定を記憶部１２に記憶するとともに、該本体アイコン１３１および該機能アイコン１３２を記憶部１２から取得する（Ｓ１０１）。指示取得部１０１は、取得した上記本体アイコン１３１および上記機能アイコン１３２を第１のレイアウト部１０２および第２のレイアウト部１０３に送る。
【００５７】
表示する本体アイコン１３１および機能アイコン１３２を取得した第１のレイアウト部１０２は、表示する本体アイコン１３１ごとに、表示部１３の表示画面における表示画面領域１３０を割り当てる（Ｓ１０２）。
【００５８】
一方、第２のレイアウト部１０３は、表示画面領域１３０を、表示する本体アイコン１３１および該本体アイコン１３１に付帯する機能アイコン１３２をそれぞれ表示する分割領域に分割する（Ｓ１０３）。
【００５９】
最後に、第１のレイアウト部１０２および第２のレイアウト部１０３は、本体アイコン１３１および機能アイコン１３２を表示部１３に表示する（Ｓ１０４）。例えば、図１の（ａ）（ｂ）では、表示画面領域１３０が本体アイコン１３１および４つの機能アイコン１３２によって分割されている例を示した。その他にも、本体アイコン１３１に付帯して表示する機能アイコン１３２がない場合も考えられる。例えば、後述する機能アイコンの表示設定処理において、機能アイコン１３２を表示しない設定とされた場合などである。この場合、第２のレイアウト部１０３は、図２にＥの表示画面領域１３０として示すように、表示画面領域１３０の全体に本体アイコン１３１のみを表示してもよいし、該表示画面領域１３０を表示から消去してもよい。
【００６０】
（機能アイコンの表示設定処理）
次に、ユーザが本体アイコン１３１に付帯させる機能アイコン１３２を設定する、機能アイコンの表示設定処理について、図５の（ａ）〜（ｃ）および図６を用いて説明する。
【００６１】
初めに、表示部１３には、図５の（ａ）に示すように、本体アイコン１３１のみが表示されたＡ〜Ｅの表示画面領域１３０が表示されていたとする。
【００６２】
ユーザは、Ａ〜Ｅの表示画面領域１３０のそれぞれ配置された本体アイコン１３１の中から、例えばカレンダーアプリケーションに対応する本体アイコン１３１を選択し、上記カレンダーアプリケーションの設定メニューを起動する操作を行う。すると、図６にフローチャートを示す機能アイコンの表示設定処理が開始される。
【００６３】
図６に示すように、指示取得部１０１は、上記カレンダーアプリケーション（以下、プログラムと略称する）の設定メニューを起動させる指示を取得する（Ｓ２０１）。すると、制御部１０は、プログラムの設定メニューを起動し、表示部１３に表示する（図５の（ｂ）参照）。図５の（ｂ）に示すように、上記設定メニューには、プログラムが有する各機能に対応する機能アイコン１３２のうち、表示部１３に表示する機能アイコン１３２を設定するための、機能アイコン設定モードが含まれている。
【００６４】
ユーザは、上記機能アイコン設定モードを選択する。
【００６５】
上記機能アイコン設定モードが選択されたことを取得した制御部１０は、機能アイコン設定画面を表示させる（Ｓ２０２、図５の（ｃ）参照）。具体的には、プログラムが有する機能の名称一覧と、上記機能のそれぞれについて、対応する機能アイコン１３２を表示部１３に表示するか選択するための選択ボタンを表示させる。図５の（ｃ）では、本プログラムの機能として、月間、週間、１日の各スケジュールを表示する月間スケジュール表示、週間スケジュール表示、当日スケジュール表示と、期限の過ぎたスケジュールを表示する更新表示と、ＴｏＤｏリスト表示とを有している例を示している。
【００６６】
ユーザは、図５の（ｃ）の上記機能アイコン設定画面に表示された機能のうち、機能アイコン１３２を表示する機能を選択する。
【００６７】
指示取得部１０１は、選択された機能を取得する（Ｓ２０３）。図５の（ｃ）では、一例として、月間スケジュール表示、週間スケジュール表示、当日スケジュール表示、および更新表示の４つの機能が選択された場合を示している。
【００６８】
第２のレイアウト部１０３は、選択された機能を取得し、該機能に対応する機能アイコン１３２を、本プログラムに対応する本体アイコン１３１とともにレイアウトする（Ｓ２０４）。
【００６９】
なお、本体アイコン１３１と機能アイコン１３２とをレイアウトするやり方については、図１の（ａ）（ｂ）を用いて説明した通りであるから説明を省略する。
【００７０】
（従来技術との比較１）
特許文献１の携帯端末装置９０１のように、ショートカットアイコン（オブジェクト）を表示する携帯端末装置では、ショートカットを利用したい機能ごとに、それぞれに対応するショートカットアイコンを表示していた。
【００７１】
このような従来技術におけるショートカットアイコンは、いわば本発明において、１つの本体アイコンに対して１つの機能が付帯されている場合に相当する（図１０参照）。すなわち、このような従来技術では、予め設定した１つの機能へのショートカットを行うことしかできない。なお、図１０では、ユーザがカレンダーアイコンに触れると、そのカレンダーアイコンに対して設定された月間スケジュール表示機能が実行される例を示している。
【００７２】
そして、上記従来技術では、（ショートカットアイコンを増やさずに）他の機能へのショートカットを作成する場合、先に作成したショートカットアイコンを削除して、新たなショートカットアイコンを作成する必要がある。一方、本発明によれば、１つの表示画面領域内に複数の機能へのショートカットアイコン（機能アイコン）を表示する設定を行うことができるため、機能アイコンの表示設定を変更する必要がない。
【００７３】
また、上記従来技術では、複数のショートカットアイコンをグループ化する場合、それらのショートカットアイコンをまとめたショートカット集フォルダを作成していた。この場合、ユーザはまず上記ショートカット集フォルダにアクセス（選択）して、次に該フォルダ内の所望のショートカットアイコンを選択するという２動作が必要であった。一方、本発明によれば、同一のプログラムが有する複数の機能に対応する機能アイコンを、該プログラムに対応する本体アイコンに付帯して表示するので、ユーザは、所望の機能アイコンを１動作で選択することができる。
【００７４】
（機能アイコンの表示処理）
ここで、図１の（ａ）に示す本体アイコン１３１および機能アイコン１３２が表示されている状態において、ユーザが、ある機能に対応する機能アイコン１３２を選択した場合の処理について、図７に示すフローチャートを用いて説明する。
【００７５】
まず、指示取得部１０１は、選択された機能アイコン１３２は何であるかを取得する（Ｓ３０１）。
【００７６】
第１の場合として、選択された機能アイコン１３２が「月」キーであった場合（Ｃ１）、指示取得部１０１は一ヶ月のスケジュールを表示させる（Ｓ３０２ａ）。
【００７７】
第２の場合として、選択された機能アイコン１３２が「週」キーであった場合（Ｃ２）、指示取得部１０１は一週間のスケジュールを表示させる（Ｓ３０２ｂ）。
【００７８】
第３の場合として、選択された機能アイコン１３２が「日」キーであった場合（Ｃ３）、指示取得部１０１は当日のスケジュールを表示させる（Ｓ３０２ｃ）。
【００７９】
第４の場合として、選択された機能アイコン１３２が「更」キーであった場合（Ｃ４）、指示取得部１０１は期限を過ぎたスケジュールを表示させる（Ｓ３０２ｄ）。
【００８０】
ステップＳ３０２ａ〜Ｓ３０２ｄのいずれかが、ユーザが選択した機能アイコン１３２に応じて実行された後、機能アイコンの表示処理は終了する。
【００８１】
（本体アイコンが長押しされたときの動作）
さて、表示画面領域１３０において本体アイコン１３１と機能アイコン１３２とが占める領域の割合については、機能アイコン１３２が表示される領域が大きくなるほど、ユーザが機能アイコン１３２に接触しやすいので、操作性がよくなる。また、ユーザが誤って所望の機能アイコン１３２とは別の機能アイコン１３２を選択してしまうことが少なくなる。
【００８２】
そこで、図８に示すように、ユーザが本体アイコン１３１を長押しした場合に、該本体アイコン１３１に付帯する機能アイコン１３２を拡大して表示してもよい。以下に、いくつかの実施例を説明する。なお、下記の各実施例のいずれにおいても、表示画面領域１３０の大きさ自体は変化させない。
【００８３】
まず、第１の実施例として、本体アイコン１３１が長押しされると、第２のレイアウト部１０３は、該本体アイコン１３１を縮小して表示させ、該本体アイコン１３１に付帯する全ての機能アイコン１３２を拡大して表示させてもよい。ユーザは、本体アイコン１３１から選択したい機能アイコン１３２へ、指をスライドさせることによって、その機能アイコン１３２を選択することができる。
【００８４】
または、第２の実施例として、第２のレイアウト部１０３は、本体アイコン１３１が長押しされている時間に応じて、該本体アイコン１３１を徐々に縮小して表示させる一方、該本体アイコン１３１に付帯する機能アイコン１３２を徐々に拡大して表示させてもよい。これにより、ユーザは、自身の指の太さまたは操作感覚に従って、操作をし易いように、機能アイコン１３２の拡大量を決めることができる。
【００８５】
あるいは、第３の実施例として、一定時間以上、本体アイコン１３１が長押しされた場合に、第２のレイアウト部１０３は、該本体アイコン１３１を消去して、それに付帯していた機能アイコン１３２のみを表示画面領域１３０に表示させてもよい。この場合、機能アイコン１３２を最大限拡大させることができる。
【００８６】
なお、上記の各実施例を組み合わせてもよい。例えば、第２の実施例と第３の実施例とを組み合わせて、本体アイコン１３１が長押しされている時間に応じて該本体アイコン１３１を徐々に縮小してゆき、長押しが続けられた場合に、該本体アイコン１３１をそのままフェードアウトさせてもよい。
【００８７】
（従来技術との比較２）
前述のように、従来の情報処理装置である情報端末装置８０１では、ユーザがある属性アイコンに触れると、該属性アイコンを拡大表示し、その他の属性アイコンを縮小表示するという、表示画面８１３全体に対する処理が行われるために、表示処理の負荷が増大する。また、省電力にも不利になる。
【００８８】
一方、本発明に係る情報処理装置１では、ユーザが長押しした表示画面領域１３０内のみで、本体アイコン１３１の縮小処理、および機能アイコン１３２の拡大処理が行われるため、上記従来技術よりも処理の負担が軽く、省電力にとって有利になる。
【００８９】
（補足）
本発明に係る情報処理装置１の指示取得部１０１、第１のレイアウト部１０２、および第２のレイアウト部１０３は、ハードウェアロジックによって構成してもよいし、次のようにＣＰＵを用いてソフトウェアによって実現してもよい。
【００９０】
すなわち、情報処理装置１は、各機能を実現する制御プログラムの命令を実行するＣＰＵ、上記プログラムを格納したＲＯＭ、上記プログラムを展開するＲＡＭ、上記プログラムおよび各種データを格納するメモリ等で構成された記憶部１２（記録媒体）などを備えている。
【００９１】
そして、本発明の目的は、上述した機能を実現するソフトウェアである制御プログラムのプログラムコード（実行形式プログラム、中間コードプログラム、ソースプログラム）をコンピュータで読み取り可能に記録した記録媒体を、情報処理装置１に供給し、そのコンピュータ（またはＣＰＵやＭＰＵ）が記録媒体に記録されているプログラムコードを読み出し実行することによっても、達成可能である。
【００９２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９３】
また、情報処理装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【００９４】
本発明は上述した実施形態に限定されるものではなく、請求項に示した範囲で種々の変更が可能であり、そのような変更に係る技術的手段を適宜組み合わせて得られる実施形態についても本発明の技術的範囲に含まれる。
【産業上の利用可能性】
【００９５】
本発明は、タッチパネルを介した操作者の指示に応じた情報処理を行う情報処理装置全般に利用することができる。
【符号の説明】
【００９６】
１      情報処理装置
１２    記憶部（コンピュータ読み取り可能な記録媒体）
１３    表示部
１０１  指示取得部（指示取得手段）
１０２  第１のレイアウト部（表示画面領域割当手段）
１０３  第２のレイアウト部（表示画面領域分割手段）
１３１、１３１ａ  本体アイコン
１３２、１３２ａ  機能アイコン
【図１】
2013222353.tif 000003
【図２】
2013222353.tif 000004
【図３】
2013222353.tif 000005
【図４】
2013222353.tif 000006
【図５】
2013222353.tif 000007
【図６】
2013222353.tif 000008
【図７】
2013222353.tif 000009
【図８】
2013222353.tif 000010
【図９】
2013222353.tif 000011
【図１０】
2013222353.tif 000012
【図１１】
2013222353.tif 000013